(57)【要約】      （修正有）【課題】  室内からハンドルの回転操作で、簡単に、確実にルーバ羽が開閉できるルーバ面格子を提供する。【解決手段】  押動力がクランクアーム10、回転カム9などを通じて回転軸8に伝達されてルーバ羽7が開閉する構造を有する面格子であって、クランクアームにはルーバ羽が開く方向に付勢するようにバネ14がとりつけられており、また操作機構は回転ハンドルと、該ハンドルに連動して回転する受けギアと、作動ギアとからなるウオームギアと、該ギアに連動してインナワイヤ13を引きまたは戻し方向に回転するワイヤドラムとを備えており、さらに前記インナワイヤの一端が連結されているクランクアーム近傍の１個ないし数個の回転カムの回転軸にはインナワイヤをガイドするガイドローラ16が回転自在に軸支されており、さらに該ガイドローラの上部を脱落防止カバー17で覆って、インナワイヤがガイドローラから外れるのを阻止していることを特徴とする。【選択図】図２
2005163507.tif 000002
【特許請求の範囲】
【請求項１】
所望の長さを有する左右一対のたて枠間には、その枠の長手方向に沿って所定数のルーバ羽が、その両端部にとりつけている回転軸を介して開閉可能に取り付けられており、かつ一方のたて枠には、その回転軸に回転カムが一体的にとりつけられており、該回転カムはクランクアームに連結されており、さらに該クランクアームにはコントロールワイヤがインナワイヤの一端を通じて連結されており、さらにインナワイヤの他端がサッシや壁体等の建物側にとりつけた操作機構にとりつけられており、該操作機構のハンドル操作によってインナワイヤを引き又は戻し方向に押動し、その押動力がクランクアーム、回転カムなどを通じて回転軸に伝達されてルーバ羽が開閉する構造を有する面格子であって、前記クランクアームにはルーバ羽が開く方向に付勢するようにバネがとりつけられており、また前記操作機構は回転ハンドルと、該ハンドルに連動して回転する受けギアと、作動ギアとからなるウオームギアと、該ギアに連動してインナワイヤを引きまたは戻し方回に回転するワイヤドラムとを備えており、さらに前記インナワイヤの一端が連結されているクランクアーム近傍の１個ないし数個の回転カムの回転軸にはインナワイヤをガイドするガイドローラが回転自在に軸支されており、さらに該ガイドローラの上部を脱落防止カバーで覆って、インナワイヤがガイドローラから外れるのを阻止していることを特徴とするルーバ面格子。
【請求項２】
回転ハンドルは長板材からなり、その長手方向にガイド長孔を形成しており、かつその長孔の一側には上下にピンの係合孔を形成し、一方前記ハンドルの前面の化粧蓋には回転ハンドルがガイド長孔に沿って上下に移動した際に、前記ピンの係合孔に弾支係合するバネ付きの係合ピンを取り付けており、ハンドルを上方または下方の位置で係合支持することを特徴とする請求項１記載のルーバ面格子。
【発明の詳細な説明】
【技術分野】
【０００１】本発明は手元において、しかも簡単な操作でルーバ羽が確実に、スムーズに開閉できるルーバ面格子に関する。
【背景技術】
【０００２】従来公知のルーバ面格子は、所望長さを有する左右一対のたて枠間には、その枠の長手方向に沿って所要数のルーバ羽がその両端部に取り付けている回転軸を介して開閉可能に取り付けられており、かつ一方のたて枠には回転軸に一体的にとりつけられている回転カムと、該回転カムに連結しているクランクアーム（以下このアームを連結アームと称してもよい。）がとりつけられており、さらに該たて枠の表面には上記クランクアームを駆動させる操作機構が設けられており、上記ルーバ羽の開閉調整は操作機構のハンドル操作によってクランクアーム、回転カム、回転軸が連動し、ルーバ羽が開閉する構造である。
【発明の開示】
【発明が解決しようとする課題】
【０００３】ところが上記した従来のルーバ面格子には以下に説明するような問題点がありその解決が要求されていた。
ルーバ面格子の設置箇所はトイレ、浴室、洗面所等のサッシの外側に、あるいは病室、集会所、居住部屋等の開閉窓の外側など取り付け場所は様々である。しかして該面格子の特徴は、ルーバ羽を閉じることによって遮音、遮光、暴風雨、防犯等に効果的である。又ルーバ羽を所望角度開くことによって通風、採光等に効果的である。それゆえに季節によっても異なるが一日に数回のルーバ羽の開閉調整が好まれる。【０００４】ところでサッシが嵌殺し窓であったり、十分に開かない窓の場合、例えばトイレ、浴室、洗面所の窓の場合にはルーバ羽の開閉操作ができないか、仮にできるとしても、その都度窓の外で、あるいは内側から窓の外に手を伸ばして操作機構のハンドル操作を行わねばならず大変面倒であった。
又操作ハンドルが外気に露出しているため塵埃で汚れているので手がよごれたり、風雨の激しいときに窓の外に手を伸ばして操作することは面倒な作業であった。【０００５】尚病院の病室におけるルーバ面格子の開閉操作を、入院患者がその都度窓を開けて行うことは大変面倒なことであり、せっかくの開閉ルーバの効能を十分に発揮できないという問題点があった。
本発明はこれらの問題点を解消している。
【課題を解決するための手段】
【０００６】本発明つぎの特徴を備えている。
その一つは「所望の長さを有する左右一対のたて枠間には、その枠の長手方向に沿って所定数のルーバ羽が、その両端部にとりつけている回転軸を介して開閉可能に取り付けられており、かつ一方のたて枠には、その回転軸に回転カムが一体的にとりつけられており、該回転カムはクランクアームに連結されており、さらに該クランクアームにはコントロールワイヤがインナワイヤの一端を通じて連結されており、さらにインナワイヤの他端がサッシや壁体等の建物側にとりつけた操作機構にとりつけられており、該操作機構のハンドル操作によってインナワイヤを引き又は戻し方向に押動し、その押動力がクランクアーム、回転カムなどを通じて回転軸に伝達されてルーバ羽が開閉する構造を有する面格子であって、前記クランクアームにはルーバ羽が開く方向に付勢するようにバネがとりつけられており、また前記操作機構は回転ハンドルと、該ハンドルに連動して回転する受けギアと、作動ギアとからなるウオームギアと、該ギアに連動してインナワイヤを引きまたは戻し方向に回転するワイヤドラムとを備えており、さらに前記インナワイヤの一端が連結されているクランクアーム近傍の１個ないし数個の回転カムの回転軸にはインナワイヤをガイドするガイドローラが回転自在に軸支されており、さらに該ガイドローラの上部を脱落防止カバーで覆って、インナワイヤがガイドローラから外れるのを阻止していることを特徴とするルーバ面格子」である。
その二つは「上記の面格子において、回転ハンドルは長板材からなり、その長手方向にガイド長孔を形成しており、かつその長孔の一側には上下にピンの係合孔を形成し、一方前記ハンドルの前面の化粧蓋には回転ハンドルがガイド長孔に沿って上下に移動した際に、前記ピンの係合孔に弾支係合するバネ付きの係合ピンを取り付けており、ハンドルを上方または下方の位置で係合支持することを特徴とするルーバ面格子」である。
【発明の効果】
【０００７】本発明は次の作用、効果を奏する。
ルーバ面格子の設置箇所はトイレ、浴室、洗面所等のサッシの外側に、あるいは病室、集会所、居住部屋等の開閉窓の外側など取り付け場所は様々である。しかして該面格子の特徴は、ルーバ羽を閉じることによって遮音、遮光、暴風雨、防犯等に効果的である。又ルーバ羽を所望角度開くことによって通風、採光等に効果的である。それゆえに季節によっても異なるが一日に数回のルーバ羽の開閉調整が好まれる。【０００８】ところでサッシが嵌殺し窓であったり、十分に開かない窓の場合、例えばトイレ、浴室、洗面所の窓の場合にはルーバ羽の開閉操作ができないか、仮にできるとしても、その都度窓の外で、あるいは内側から窓の外に手を伸ばして操作機構のハンドル操作を行わねばならず大変面倒であった。
又操作ハンドルが外気に露出しているため塵埃で汚れているので手がよごれたり、風雨の激しいときに窓の外に手を伸ばして操作することは面倒な作業であった。尚病院の病室におけるルーバ面格子の開閉操作を、入院患者がその都度窓を開けて手を伸ばして行うことは大変面倒なことであり、せっかくの開閉ルーバの効能を十分に発揮しないでいたけれども、本発明のルーバ面格子であれば室内で、窓の開閉もせずに壁、サッシ枠等に取り付けてある操作機構をハンドル操作すればよく、子供でも大人でも病人でも操作が簡単にでき、それによってインナワイヤの引き寄せ（巻方向）、巻戻し方向によってルーバ羽がスムーズに開閉するので、従来の欠点もない。【０００９】ことに本発明はルーバ羽が開く方向に付勢するようにバネがクランクアームに取り付けられているので、かつインナワイヤの一端が連結されているクランクアーム近傍の１個ないし数個の回転カムの回転軸にはインナヤイヤをガイドするガイドローラが回転自在に軸支されており、該ガイドローラの上部を脱落防止カバーで覆っているので、インナワイヤが巻き方向（引き方向）にあるいは巻戻し方向（戻し方向）に駆動する際に、緩んだり、蛇行する事なく、また、ガイドローラから外れることがなく、スムーズに移動し、スムーズにルーバ羽が開閉できる。【００１０】さらに回転ハンドルは操作時には化粧カバーから突出して操作し、非操作時には化粧カバーの中に納めて体裁よくしている。しかも該ハンドルは係合ピンに弾支されているので、上方に突出した位置、下方に納まった位置でそれぞれ安定して支持される。
【発明を実施するための最良の形態】
【００１１】本発明のルーバ面格子について、その実施形態を図面を用いて以下に説明する。図１〜図３において、１は建物の開口部周囲の壁体である。２は方形のサッシ枠、３はサッシ窓である。サッシ窓３は嵌殺し、又は下部を回転の支軸として上部が内側に多少倒れて開閉できる内倒し式などの構造である。このような構造のサッシはトイレ、浴室、洗面所等の小窓用に多く用いられる。
４はサッシの外側にとりつけられるルーバ面格子本体である。この面格子本体はブラケット等の連結金具を介してサッシ枠、または壁体に取り付けられている。【００１２】５、５は所望長さを有する左右一対のたて枠で、上下の横枠６、６とで方形枠としている。このたて枠間にはその枠の長手方向に沿って所定数のルーバ羽７・・・が、その両端部にとりつけている回転軸８を介して回転可能に、つまり開閉可能にとりつけている。しかして一方のたて枠にはその中空部に回転カム９が前記回転軸８と一体的に連結されており、さらに該回転カムはクランクアーム１０で連結されている。【００１３】このクランクアーム１０にはコントロールワイヤ１１がインナワイヤ１３の一端を通じて連結されている。コントロールワイヤ１１はアウタチューブ１２とその中空部にインナワイヤが移動可能に挿入されている。アウタチューブは鋼線や極薄鋼板が心材として内部に巻かれて、単に合成樹脂製のチューブより剛性のある合成樹脂のチューブで、フレキシブルである。インナワイヤはより線である。
それゆえにインナワイヤ１３に引き又は戻しの外力を与えてワイヤを動かせば、該ワイヤを一端にとりつけているクランクアーム１０が追従して上下動し、同時に回転カム、回転軸が回転しルーバ羽が開閉する。【００１４】図２においてＡ，Ｂはクランクアーム１０の押動前、後の状態を示している。Ａはルーバ羽が閉の状態、Ｂはルーバ羽が開の状態である。１４は付勢バネで図示ではクランクアーム１０を上方に押し上げる方向に付勢している。つまりバネはルーバ羽が開く方向に作用するように取り付けられている。【００１５】１５はコントロールワイヤの取付金具で、たて枠に止具で取り付けられている。またアウタチューブ１２の端部が支持金具１５ａで取付金具に支持固定されている。しかしてインナワイヤ１３の端部を延長してその先端をクランクアームに止金具１３ａを介して連結している。【００１６】１６はガイドローラで、１個ないし数個、図示では２個の回転カムの回転軸に回転自在に軸支されている。そのガイドローラはインナワイヤの一端が連結されているクランクアーム近傍の回転カムの回転軸にとりつけている。１７は脱落防止カバーで、ガイドローラの上部を覆っており、インナワイヤの緩みによるガイドローラからの脱落を防止している。
図２、図３より明らかな通り、インナワイヤはガイドローラの表面に、図面では表面に形成している周溝に位置し、その上部がカバーで覆われている。よってインナワイヤが張設された状態で緩みなくクランクアームにとりつけられている。【００１７】図４〜図８は操作機構に関して図示している。１８は操作機構で、回転ハンドル２０、該ハンドルに連動して回転する受けギア２２、作動ギア２３とからなるウオームギア２１と、該ギアに連動してインナワイヤを巻く方向にまたは巻戻す方向に回転するワイヤドラム２４とを備えている。【００１８】１９は化粧カバー、１９ａは係合ピン、１９ｂはバネである。図４に示しているとおり、カバーの内面にバネの一端を固定し、他端に球状の係合ピンを取り付けている。２０は長板材からなる回転ハンドルである。その長手方向にはガイド長孔２０ａを形成しており、かつその長孔の一側に上下に上記ピンの係合孔２０ｂを設けている。
以上本発明の実施例について説明しているが、これに加えて本発明の技術思想を逸脱しない範囲の設計変更は可能である。
【図面の簡単な説明】
【００１９】
【図１】本発明ルーバ面格子の略斜視図。
【図２】同じくルーバ面格子の回転機構の要部を示す説明図で、Ａはルーバ羽が閉じている時、Ｂはルーバ羽が略９０度開いているときの説明図。
【図３】図２のＸ−Ｘ線要部断面図。
【図４】本発明操作機構の一部をなす化粧カバーの略平面図。
【図５】同じく回転ハンドルの略正面図。
【図６】図４、５に示す各部材の組立状態を示す略正面図。
【図７】本発明ルーバ面格子の操作機構を示す略側面図。
【図８】図７に示すケース部分の略平面図を示し、ウオームギアとワイヤドラムの位置関係を示す。
【符号の説明】
【００２０】１      壁体
２      サッシ枠
３      サッシ窓
４      ルーバ面格子本体
５      たて枠
６      横枠
７      ルーバ羽
８      回転軸
９      回転カム
１０    クランクアーム
１１    コントロールワイヤ
１２    アウタチューブ
１３    インナワイヤ
１４    付勢バネ
１５    コントロールワイヤの取付金具
１６    ガイドローラ
１７    脱落防止カバー
１８    操作機構
１９    化粧カバー
１９ａ  係合ピン
１９ｂ  バネ
２０    回転ハンドル
２０ａ  ガイド長孔
２０ｂ  係合孔
２１    ウオームギア
２２    受けギア
２３    作動ギア
２４    ワイヤドラム
【図１】
2005163507.tif 000003
【図３】
2005163507.tif 000004
【図２】
2005163507.tif 000005
【図４】
2005163507.tif 000006
【図５】
2005163507.tif 000007
【図６】
2005163507.tif 000008
【図７】
2005163507.tif 000009
【図８】
2005163507.tif 000010